(57)【要約】【課題】衣服内の温度上昇を抑制し、衣服の着用時に生じる作業者のヒートストレスを大幅に低減する。【解決手段】防火服１０を構成する上衣１１の内側に、小型の排気ファン２０１と、この排気ファン２０１の吸引側に設けた可撓性の空気導入部材２０４と、排気ファン２０１の吐出側に接続した可撓性の排気ホース２０６とから換気手段２０配設し、排気ファン２０１を駆動することにより、上衣１１内の人体代謝により加熱された空気及び飽和状態に近い湿気を含む空気を吸引するとともに排気ホース２０６を通して上衣１１外へ排出する。これと同時に、大気へ連通する部位である上衣１１の襟元１１２や袖口１１３の隙間、及び上衣１１の下端裾部１１４の隙間を通して外気が上衣１１内に吸い込むことで、上衣１１の内部空気を外気と有効に交換される。【選択図】　図１
2004027417.tif 000002
【特許請求の範囲】
【請求項１】
作業者に悪影響を及ぼす熱環境や毒性外気環境などから作業者を保護する防護用衣服であって、
作業者の頭部、胴体部及び四肢を含む人体を熱環境や毒性外気環境等から遮蔽するように覆う衣服部を備え、前記衣服部に、該衣服部内の空気を吸引して前記衣服部外へ排出すると同時に前記衣服部の大気へ連通する箇所を通して外気を導入することにより衣服内部を換気する少なくとも１つの換気手段を設け、さらに、前記換気手段を駆動する駆動源を備えることを特徴とする防護用衣服。
【請求項２】
前記駆動源は一次または二次電池のような携帯可能な電源であることを特徴とする請求項１項記載の防護用衣服。
【請求項３】
前記換気手段は小型モータ付きの小型の排気ファンを備え、前記排気ファンの吸引口は前記衣服部の内部に向け開口され、前記吸引口には前記衣服部の内面と作業者との間に前記衣服部の内部と連通する所望大きさの空間を形成する可撓性の空気導入部材が設けられていることを特徴とする請求項１項記載の防護用衣服。
【請求項４】
前記排気ファンの吐出口は、直接または排気ホースを介して前記衣服部外に開口されていることを特徴とする請求項３記載の防護用衣服。
【請求項５】
前記空気導入部材を含む前記排気ファンの配置箇所は、該排気ファンが作業者の活動に邪魔にならない作業者の胴体脇部等と対向する前記衣服部の内側箇所であることを特徴とする請求項３記載の防護用衣服。
【請求項６】
前記大気へ連通する箇所は、前記衣服部の襟部、袖口のような箇所であることを特徴とする請求項１記載の防護用衣服。
【請求項７】
前記換気手段は小型モータ付きの小型の排気ファンを備え、前記駆動源は一次または二次電池のような携帯可能な電源から構成され、前記排気ファンは切替スイッチを介して前記電源に接続され、前記切替スイッチをオン・オフ制御することにより前記排気ファンが起動・停止されるように構成したことを特徴とする請求項１記載の防護用衣服。
【請求項８】
前記切替スイッチは手動スイッチであることを特徴とする請求項７記載の防護用衣服。
【請求項９】
前記衣服部の内部温度を検出する温度センサーを備え、前記駆動源は一次または二次電池のような携帯可能な電源から構成され、前記排気ファンと前記電源との間に接続された切替スイッチは半導体スイッチング素子から構成され、前記温度センサーで検出された温度が予め設定した温度以上になった時に前記半導体スイッチング素子をオン制御して前記排気ファンを起動する制御回路を設けたことを特徴とする請求項１記載の防護用衣服。
【請求項１０】
作業者に悪影響を及ぼす火災等の熱環境から作業者を保護する防火服であって、
上衣とズボンを備え、少なくとも前記上衣に、該上衣内の空気を吸引して前記上衣へ排出すると同時に前記上衣の大気への連通部分を通して外気を導入することにより前記上衣内部を換気する少なくとも１つの換気手段を設け、さらに、前記換気手段を駆動する駆動源を備えることを特徴とする防火服。
【請求項１１】
前記駆動源は一次または二次電池のような携帯可能な電源であることを特徴とする請求項１０項記載の防火服。
【請求項１２】
前記換気手段は小型モータ付きの小型の排気ファンを備え、前記排気ファンの吸引口は前記上衣の内部に向け開口され、前記吸引口には前記上衣の内面と作業者との間に前記上衣の内部と連通する所望大きさの空間を形成する可撓性の空気導入部材が設けられていることを特徴とする請求項１０項記載の防火服。
【請求項１３】
前記排気ファンの吐出口は、直接または排気ホースを介して前記衣服部外に開口されていることを特徴とする請求項１２記載の防火服。
【請求項１４】
前記空気導入部材を含む前記排気ファンの配置箇所は、該排気ファンが作業者の活動に邪魔にならない作業者の胴体脇部等と対向する前記上衣の内側箇所であることを特徴とする請求項１２記載の防火服。
【請求項１５】
前記大気へ連通する箇所は、前記衣服部の襟部、袖口のような箇所であることを特徴とする請求項１０記載の防火服。
【請求項１６】
前記換気手段は小型モータ付きの小型の排気ファンを備え、前記駆動源は一次または二次電池のような携帯可能な電源から構成され、前記排気ファンは切替スイッチを介して前記電源に接続され、前記切替スイッチをオン・オフ制御することにより前記排気ファンが起動・停止されるように構成したことを特徴とする請求項１０記載の防護用衣服。
【請求項１７】
前記切替スイッチは手動スイッチであることを特徴とする請求項１６記載の防火服。
【請求項１８】
少なくとも前記上衣の内部温度を検出する温度センサーを備え、前記駆動源は一次または二次電池のような携帯可能な電源から構成され、前記排気ファンと前記電源との間に接続された切替スイッチは半導体スイッチング素子から構成され、前記温度センサーで検出された温度が予め設定した温度以上になった時に前記半導体スイッチング素子をオン制御して前記排気ファンを起動する制御回路を設けたことを特徴とする請求項１０記載の防火服。
【発明の詳細な説明】
【０００１】
【発明の属する技術分野】
本発明は、消防員装具や農薬防護服などのように、熱環境や毒性外気環境などから作業者を保護するために使用される防護用衣服及び防火服に関し、さらに詳しくは、これらの衣服を着用して作業を行った時に生じる作業者のヒートストレスを大幅に低減できるようにした防護用衣服及び防火服に関するものである。
【０００２】
【従来の技術】
火災の熱輻射等から消防員の身を守る消防員装具（防火服）や農薬等の毒性外気から農薬散布作業員の身を守る農薬防護服、または、漁における魚取り扱い時に受ける外傷等から船上作業者の身を守るためのゴム合羽など、作業者を熱環境や外気環境等から作業者を保護する目的で使用される防護用衣服は、通気性のない、または通気性の小さい生地を使用して密閉型構造に縫製されている。
【０００３】
一般に人体には、安静時においても約５８Ｗ／ｍ２　の代謝（産熱）があり、また、消火活動などの作業時における人体には、その活動の程度により異なるものの、数百Ｗ／ｍ２　の代謝（産熱）がある。
これに対して、人体を冷却するための放熱要素には、呼吸による対流と潜熱放熱、体表面からの対流と輻射及び体表面からの発汗による潜熱放熱がある。したがって、これらの要素から得られる放熱量と上記産熱との熱収支が一致する時は、人体が熱平衡状態に保たれることになる。
【０００４】
ところで、密閉型構造の防護用衣服は、その熱抵抗（保温性）が比較的大きいため、これを着用した場合、人体表面からの対流及び輻射放熱が抑制されるほか、発汗による潜熱（気化熱）放熱が抑制されてしまう。その結果、上述する人体の熱平衡状態が崩れ、代謝熱が人体に蓄積され、ヒートストレスを多発させる要因となる。この傾向は、防護用衣服を着用して作業する時の環境気温が大きく影響し、特に環境気温が人体の平均皮膚表面温度に近い３０℃を超える温度になると衣服内温度が上昇するとともに人体の基幹温度も上昇し、身体に熱痙攣や熱疲労、熱射病のような熱中症、すなわちヒートストレスが発生し易くなる。このため、防護用衣服を着用した作業者のヒートストレスを軽減するためには、防護用衣服内の温度を低くする必要がある。
【０００５】
従来、このような防護用衣服において、作業者に作用するヒートストレスを軽減する方法としては、
ａ）防護用衣服を構成する上衣の内側に位置する腋下箇所や背中の部分にポケットを設け、このポケット内に冷凍設備等で冷凍した容器入りの冷却剤を収納し、この冷却剤の溶解潜熱により上衣の内側を冷却する方式のもの、
ｂ）防護用衣服を着用した状態で上衣の襟元を開放し、これにより、上衣の内側に上衣の下端から襟元に向けて流れる空気通路を生じさせ、この空気通路内に自然対流による流れを生じさせて換気する方式のもの、
ｃ）防護用衣服の構成素材に透湿性防水布を使用し、発汗の気化による衣服内の蒸気を透湿性防水布を通して衣服外に放出し、衣服内の蒸気圧を下げることにより、衣服内温度における飽和水蒸気圧となるまで発汗を再度気化させて放熱する方式のもの、
ｄ）衣服の内側に冷却パイプを張り巡らし、この冷却パイプに冷却装置で冷却した空気または冷却水を循環して衣服内を冷却する方式のもの、
ｅ）防護用衣服と別構成の冷却用ジャケットを設け、このジャケットを衣服の内側に着用した状態で、ジャケット内に冷却装置で冷却した空気または冷却水を循環させることにより衣服内を冷却する方式のものなどが知られている。
【０００６】
【発明が解決しようとする課題】
しかしながら、上記ａ）に示す方式では、衣服内の冷却のコントロールが不可能であるとともに冷却効果が小さく、ヒートストレスの低減効果は余り期待できない。しかも、このａ）の方式は、容器入り冷却剤が体表面と局部的に近接された状態におかれるため、その近接部位の血管が収縮され、生体の血液循環に悪影響を及ぼしほか、頭部の温度が上昇してヒートストレスが拡大されるなどの問題がある。
また、上記ｂ）に示す方式は、襟元を開くことにより衣服内に自然対流による空気の流れを生じさせて、衣服内を換気するものであるため、作業現場から離れて熱環境や外気環境等の影響を直接受けない場所には比較的有効であるが、火災現場などのように熱環境や外気環境等の影響をもろに受ける現場には不向きであるとともに、ヒートストレスの有効に低減し得る程の換気能力もない。
【０００７】
また、上記ｃ）に示す方式では、透湿性防水布からなる衣服を通して衣服外へ放出できる蒸気の量に限度があるため、これを越える発汗や産熱がある場合には、これに対応できず、衣服内の温度が上昇してしまい、熱中症のようなヒートストレス発症の要因となる。
また、上記ｄ）及びｅ）に示す方式では、衣服内の冷却効果が大きく、衣服の内側を適正温度に冷却できる。しかしながら、衣服の冷却パイプまたは冷却用ジャケットに冷却空気または冷却水を循環させるための冷却装置が大型化し、衣服に装着して簡単に使用できる可搬型のものとすることができないほか、コスト高になる問題がある。
【０００８】
本発明の目的は、衣服の内側空気を強制的に排除すると同時に外気を導入することにより衣服の内側温度の上昇を抑制し、衣服着用時に生じる作業者のヒートストレスを大幅に低減できるようにした防護用衣服及び防火服を提供することにある。
【０００９】
【課題を解決するための手段】
上記目的を達成するために請求項１の発明は、作業者に悪影響を及ぼす熱環境や毒性外気環境などから作業者を保護する防護用衣服であって、作業者の頭部、胴体部及び四肢を含む人体を熱環境や毒性外気環境等から遮蔽するように覆う衣服部を備え、前記衣服部に、該衣服部内の空気を吸引して前記衣服部外へ排出すると同時に前記衣服部の大気へ連通する箇所を通して外気を導入することにより衣服内部を換気する少なくとも１つの換気手段を設け、さらに、前記換気手段を駆動する駆動源を備えることを特徴とする。
【００１０】
請求項２の発明は、請求項１項記載の防護用衣服において、前記駆動源は一次または二次電池のような携帯可能な電源であることを特徴とする。
請求項３の発明は、請求項１項記載の防護用衣服において、前記換気手段は小型モータ付きの小型の排気ファンを備え、前記排気ファンの吸引口は前記衣服部の内部に向け開口され、前記吸引口には前記衣服部の内面と作業者との間に前記衣服部の内部と連通する所望大きさの空間を形成する可撓性の空気導入部材が設けられていることを特徴とする。
【００１１】
請求項４の発明は、請求項３記載の防護用衣服において、前記排気ファンの吐出口は、直接または排気ホースを介して前記衣服部外に開口されていることを特徴とする。
請求項５の発明は、請求項３記載の防護用衣服において、前記空気導入部材を含む前記排気ファンの配置箇所は、該排気ファンが作業者の活動に邪魔にならない作業者の胴体脇部等と対向する前記衣服部の内側箇所であることを特徴とする。
請求項６の発明は、請求項１記載の防護用衣服において、前記大気へ連通する箇所は、前記衣服部の襟部、袖口のような箇所であることを特徴とする。
【００１２】
請求項７の発明は、請求項１記載の防護用衣服において、前記換気手段は小型モータ付きの小型の排気ファンを備え、前記駆動源は一次または二次電池のような携帯可能な電源から構成され、前記排気ファンは切替スイッチを介して前記電源に接続され、前記切替スイッチをオン・オフ制御することにより前記排気ファンが起動・停止されるように構成したことを特徴とする。
請求項８の発明は、請求項７記載の防護用衣服において、前記切替スイッチは手動スイッチであることを特徴とする。
【００１３】
請求項９の発明は、請求項１記載の防護用衣服において、前記衣服部の内部温度を検出する温度センサーを備え、前記駆動源は一次または二次電池のような携帯可能な電源から構成され、前記排気ファンと前記電源との間に接続された切替スイッチは半導体スイッチング素子から構成され、前記温度センサーで検出された温度が予め設定した温度以上になった時に前記半導体スイッチング素子をオン制御して前記排気ファンを起動する制御回路を設けたことを特徴とする。
【００１４】
請求項１０の発明は、作業者に悪影響を及ぼす火災等の熱環境から作業者を保護する防火服であって、上衣とズボンを備え、少なくとも前記上衣に、該上衣内の空気を吸引して前記上衣へ排出すると同時に前記上衣の大気への連通部分を通して外気を導入することにより前記上衣内部を換気する少なくとも１つの換気手段を設け、さらに、前記換気手段を駆動する駆動源を備えることを特徴とする。
【００１５】
請求項１１の発明は、請求項１０項記載の防火服において、前記駆動源は一次または二次電池のような携帯可能な電源であることを特徴とする。
請求項１２の発明は、請求項１０項記載の防火服において、前記換気手段は小型モータ付きの小型の排気ファンを備え、前記排気ファンの吸引口は前記上衣の内部に向け開口され、前記吸引口には前記上衣の内面と作業者との間に前記上衣の内部と連通する所望大きさの空間を形成する可撓性の空気導入部材が設けられていることを特徴とする。
【００１６】
請求項１３の発明は、請求項１２記載の防火服において、前記排気ファンの吐出口は、直接または排気ホースを介して前記衣服部外に開口されていることを特徴とする。
請求項１４の発明は、請求項１２記載の防火服において、前記空気導入部材を含む前記排気ファンの配置箇所は、該排気ファンが作業者の活動に邪魔にならない作業者の胴体脇部等と対向する前記上衣の内側箇所であることを特徴とする。請求項１５の発明は、請求項１０記載の防火服において、前記大気へ連通する箇所は、前記衣服部の襟部、袖口のような箇所であることを特徴とする。
【００１７】
請求項１６の発明は、請求項１０記載の防護用衣服において、前記換気手段は小型モータ付きの小型の排気ファンを備え、前記駆動源は一次または二次電池のような携帯可能な電源から構成され、前記排気ファンは切替スイッチを介して前記電源に接続され、前記切替スイッチをオン・オフ制御することにより前記排気ファンが起動・停止されるように構成したことを特徴とする。
請求項１７の発明は、請求項１６記載の防火服において、前記切替スイッチは手動スイッチであることを特徴とする。
【００１８】
請求項１８の発明は、請求項１０記載の防火服において、少なくとも前記上衣の内部温度を検出する温度センサーを備え、前記駆動源は一次または二次電池のような携帯可能な電源から構成され、前記排気ファンと前記電源との間に接続された切替スイッチは半導体スイッチング素子から構成され、前記温度センサーで検出された温度が予め設定した温度以上になった時に前記半導体スイッチング素子をオン制御して前記排気ファンを起動する制御回路を設けたことを特徴とする。
【００１９】
【発明の実施の形態】
以下、本発明の実施の形態について、図面を参照して説明する。
図１は本発明にかかるヒートストレス軽減用の換気機能を備える防護用衣服構造を消防員装具である防火服に適用した場合の一実施の形態を示す一部展開の全体の構成図、図２は本実施の形態における防火服を着用した作業者のヒートストレスを軽減するための換気手段の一例を示す構成図、図３は本実施の形態における換気手段による防火服内での換気動作を説明するための説明図である。
【００２０】
図１に示す防火服１０は、防火等に従事する消防員の作業者８に悪影響を及ぼす火災等の熱環境から作業者８を保護するもので、作業者８の首部から膝上までの部分を覆う上衣１１と、作業者８の腰部から足首部間での部分全体を覆うズボン１２を備えている。
上記上衣１１は、例えば耐熱・耐火・耐水や透湿・通気性が良好な三層構造の生地から縫製され、前身頃部分１１１で左右に開閉できる構成になっているとともに、左右の長袖部１１２及び襟部１１３を有している。また、上記ズボン１２は、例えば耐熱・耐火・耐水や透湿・通気性が良好な三層構造の生地から縫製されている。
また、図１において、１３は作業者８の頭部及び首回りや顔面を覆うしころ１３１付きの防火帽、１４は作業者８の手に装着される手袋、１５は作業者の８の足に装着されるブーツ、１６はズボン１２の吊りベルトである。
【００２１】
図１において、換気手段２０は、防火服１０を消防員である作業者８が装着した時の防火服１０の内側を有効に換気して作業者８のヒートストレスを軽減するためのものであり、この換気手段２０は、消防活動に邪魔にならない作業者８の両脇部分と対向する上衣１１の内側２箇所に上衣１１の身丈方向沿いそれぞれ配設されている。
上記換気手段２０は、図２に示すように、ノートパソコン等に使用される超小型のマイクロファン、例えば軸流式の小型排気ファン（例えば、数リットル／秒程度）２０１を備える。この排気ファン２０１は、両端が開口された筒状のハウジング２０２と、このハウジング２０２内の軸心上に軸線を一致して設けた小型直流モータ２０３と、この小型直流モータ２０３の回転軸に直結された排気用のファン２０４とから構成されている。
【００２２】
上記排気ファン２０１の吸引側であるハウジング２０２の吸引口２０２ａは上衣１１の内側に向け開口され、この吸引口２０２ａには、上衣１１の内面と作業者８との間に上衣１１の内部と連通する所定大きさの空間１１ｂを形成するための可撓性の空気導入部材２０５が設けられている。この空気導入部材２０５は可撓性の合成樹脂材から成形され、その表面全域には多数の通気孔２０５ａが形成される。また、空気導入部材２０５を含むファン２０４は作業者８の左右の胴脇部に対向する上衣１１の内側面に位置して上衣１１に固定されている。
【００２３】
また、上記排気ファン２０１の吐出側であるハウジング２０２の吐出口２０２ｂには合成樹脂材等からなる可撓性の排気ホース２０６の一端が接続され、この排気ホース２０６の他端側は上衣１１の下端裾部方向へ延在して配置固定され、その開口端は上衣１１の下端裾部から外方に開放されるように構成されている。
【００２４】
また、上記直流モータ２０３の駆動源には、図２に示すように、複数の単３等の一次電池または二次電池からなる携帯可能な電池電源２２が使用され、この電池電源２２と直流モータ２０３との間は、手動式の切替スイッチ２１を介してリード線２３により接続されている。また、電池電源２２は電池ケース２２１内に着脱可能に収容され、この電池電源２２を含む電池ケース２２１は上衣１１の内側に設けられた内ポケット１１４に収納される。また、切替スイッチ２１は上衣１１に設けられた外ポケット１１５等に収納される。
なお、切替スイッチ２１を上衣１１の外ポケット１１５に収納する場合、この切替スイッチ２１に接続されたリード線２３は上衣１１を貫通して外ポケット１１５内に引き出される構成になっている。
【００２５】
このように構成された防火服１０において、この防火服１０に加えて防火帽１３、手袋１４及びブーツ１５を装着した消防作業員が消防活動を行った場合、従来と同様に人体の代謝による産熱の衣服外部への放散が抑制されるため、防火服１０の内側温度及び湿度が上昇するとともに代謝熱が人体に蓄積され、人体の熱平衡状態が崩れ、熱中症のようなヒートストレスを発生させる要因となる。
【００２６】
そこで、この実施の形態においては、消防作業員が消防活動中に上述のようなヒートストレス症状が自覚されるようになったならば、切替スイッチ２１をオン状態に切り替え操作する。これにより、排気ファン２０１の直流モータ２０３に電池電源２２から電力が供給されると、この直流モータ２０３は起動され、これに直結されたファン２０４が所定の速度で回転される。これに伴い、排気ファン２０１は、空気導入部材２０５を通して、上衣１１内の人体代謝により加熱された空気及び飽和状態に近い湿気を含む空気を図３の矢印に示すように吸引するとともに排気ホース２０６を通して上衣１１外へ排出する。このような排気ファン２０１の排気作用により上衣１１の内部は負圧状態になるため、図３の矢印に示すように、大気へ連通する部位である上衣１１の襟元１１２ａや袖口１１３ａの隙間、及び上衣１１の下端裾部１１４の隙間を通して外気が上衣１１内に吸い込まれ、上衣１１内の滞留空気が外気と入れ替えられることになる。
【００２７】
このようにして上衣１１の内部空気は排気ファン２０１によって外気と有効に交換されるため、上衣１１の内部温度を大幅に低下させることができるとともに上衣１１の内部湿度も低下させることができる。
因みに、排気ファンによる換気を行わない従来の防火服では、上衣の内部温度は時間の経過と共に上昇すると同時に、発汗による衣服内の水蒸気圧も飽和に達して上衣内の湿度は１００％となり、発汗による潜熱（気化熱）放熱が抑えられるとともに代謝熱が人体に蓄積されるため、作業者に対するヒートストレスは回避できない。
【００２８】
しかるに、本実施の形態によれば、上衣１１の内部は排気ファン２０１により強制的に換気されるため、発汗しても上衣１１内の水蒸気圧が飽和に達することがなく、上衣１１内を飽和水蒸気圧低下に保持できるとともに、体表面からの対流と輻射及び体表面からの発汗による潜熱（気化熱）放熱を促進することができる。その結果、上衣１１内の冷却が可能になり、上衣１１の内部温度の上昇及び人体への代謝熱の蓄積を大幅に抑制できるほか、防火服１０の着用時に生じる作業者のヒートストレスを大幅に低減することができる。
【００２９】
また、この実施の形態によれば、上衣１１の内側を有効に換気するための換気手段２０は、小型の排気ファン２０１と、この排気ファン２０１の吸引側に設けた可撓性の空気導入部材２０４と、排気ファン２０１の吐出側に接続した可撓性の排気ホース２０６とから構成されるものであるため、防火服１０の換気手段２０を低コストで提供できるとともに、換気手段２０の防火服１０への取り付けも簡便に行うことができる。
また、この実施の形態によれば、排気ファン２０１の吸引口２０２ａに空気導入部材２０５を設けることにより、上衣１１の内面と作業者８との間に排気ファン２０１の吸引用空気だまりを確実に形成でき、上衣１１の裏地や作業者８に着用されたシャツ等の布地が排気ファン２０１の吸引口２０２ａを塞ぐことが防止され、排気ファン２０１による上衣１１内の換気を効率よく行うことが可能になる。
【００３０】
次に、図４により本発明にかかる防火服の他の実施の形態について説明する。図４は本発明にかかる防火服の排気ファンを自動制御できるようにした場合の構成図である。
この図４において、小型排気ファン２０１の直流モータ２０３はトランジスタ等の半導体スイッチング素子からなる切替スイッチ２５を介して電池電源２２に接続されている。また、図４に示す符号２６は切替スイッチ２５をオン・オフ制御する制御回路であり、この制御回路２６には上衣１１の内部温度を検出する温度センサー２７と、排気ファン２０１が動作させる上衣１１の内部温度を設定する温度設定回路２８がそれぞれ接続されている。
上記温度センサー２７は、人体の平均皮膚表面温度に近似した上衣１１の内部温度を正確に検出できる箇所、例えば作業者の腋の下に対向する上衣１１の内側箇所に配置される。また、半導体スイッチング素子、制御回路２６及び温度センサー２７や温度設定回路２８の動作電源は上記電池電源２２から供給される構成になっている。
【００３１】
このような他の実施の形態において、制御回路２６では、温度センサー２７で検出された上衣１１内の検出温度Ｔ１と温度設定回路２８で設定した設定温度Ｔ２（例えば、作業者にヒートストレス症状を発症させる最低の温度：３６℃程度）とを比較し、検出温度Ｔ１が設定温度Ｔ２を超えた時に制御回路２６から半導体スイッチング素子をオン動作する制御信号Ｓ１を切替スイッチ２５に対して出力する。これにより、切替スイッチ２５がオンされると排気ファン２０１の直流モータ２０３に電池電源２２から電力が供給され、直流モータ２０３が起動されるとともにファン２０４が所定の速度で回転される。これに伴い、上衣１１の内側は自動的に換気されることになる。
【００３２】
このような他の実施の形態によれば、上記図１に示す場合と同様な作用効果が得られるほか、上衣１１の内部を排気ファン２０１により自動的に換気することができるという効果を有する。
【００３３】
上記実施の形態では、本発明のヒートストレス軽減用の換気方式を消防用の防火服に適用した場合について説明したが、本発明はこれに限定されない。例えば、農薬等の毒性外気から農薬散布作業員の身を守る農薬防護服、または、漁における魚取り扱い時に受ける外傷等から船上作業者の身を守るためのゴム合羽等のように作業者に悪影響を及ぼす熱環境や毒性外気環境などから作業者を保護する防護用衣服にも本発明にかかるヒートストレス軽減用の換気方式を使用することができる。
【００３４】
また、本発明における防護用衣服は、図１に示すように、上衣１１とズボン１２に分離した構造のものに限定されず、上衣、ズボン及びヘッドキャップを一体化したつなぎ構造の防護用衣服であってもよい。
また、本発明における換気手段２０は、上記実施の形態に示す構造のものに限定されない。例えば、換気手段２０を構成する排気ファン２０１の空気導入部材２０５及び排気ホース２０６を省略してもよい。この場合、排気ファン２０１の排気口２０２ｂを上衣１１を貫通して大気に直接開口させる。そして、この排気口２０２ｂの開口部分を上衣１１に縫い付けたカバー布により覆うことが望ましい。
【００３５】
また、本発明における換気手段２０は、上記実施の形態に示すように上衣１１の内側に設けるものに限らず、ズボンの内側に設けるようにしてもよい。
また、本発明における換気手段２０の駆動源に一次電池または二次電池を使用した場合について説明したが、本発明はこれに限定されない。例えば、換気手段２０の電力を商用電源または可搬式の電源装置から供給できるようにしてもよいほか、換気手段２０の排気ファンを手動で駆動できるように構成することも可能である。
【００３６】
【発明の効果】
以上説明したように本発明にかかる防護用衣服及び防火服によれば、衣服の内側に配置した換気手段により衣服内部の空気を強制的に排除すると同時に襟部や袖口などの衣服と作業者との間に生じる隙間を通して外気を導入して衣服の内側を強制的に換気する構成にしたので、衣服内の温度上昇を抑制でき、衣服着用時に生じる作業者のヒートストレスを大幅に低減することができる。
【００３７】
また、本発明の防護用衣服及び防火服によれば、衣服の内側を有効に換気するための換気手段は、小型の排気ファンと、この排気ファンの吸引側に設けた可撓性の空気導入部材とから構成されるものであるため、防護用衣服及び防火服の換気手段を低コストで提供できるとともに、換気手段の防護用衣服及び防火服への取り付けも簡便に行うことができる。
また、本発明の防護用衣服及び防火服によれば、排気ファンの吸引口に空気導入部材を設けることにより、衣服の内面と作業者との間に排気ファンの吸引用空気だまりを確実に形成でき、衣服の裏地や作業者に着用されたシャツ等の布地が排気ファンの吸引口を塞ぐことが防止され、排気ファンによる衣服内の換気を効率よく行うことができる。
【００３８】
また、本発明の防護用衣服及び防火服によれば、切替スイッチをオン・オフ制御することにより排気ファンが起動・停止できるように構成したので、衣服内の換気を作業者の意思により適宜行うことができる。
また、本発明の防護用衣服及び防火服によれば、衣服の内部温度を温度センサーで検出し、この温度センサーで検出された温度が予め設定した温度以上になった時に切替スイッチをオン制御して排気ファンを自動的に起動するようにしたので、衣服の内部を排気ファンにより自動的に換気することができる。
また、本発明における換気手段２０の駆動源に一次電池または二次電池を使用した場合について説明したが、本発明はこれに限定されない。例えば、換気手段２０の電力を商用電源または可搬式の電源装置から供給できるようにしてもよいほか、換気手段２０の排気ファンを手動またはエアーで駆動できるように構成することも可能である。
【図面の簡単な説明】
【図１】本発明にかかるヒートストレス軽減用の換気機能を備える防護用衣服構造を消防員装具である防火服に適用した場合の一実施の形態を示す一部展開の全体の構成図である。
【図２】本発明の実施の形態における防火服を着用した作業者のヒートストレスを軽減するための換気手段の一例を示す構成図である。
【図３】本発明の実施の形態における換気手段の防火服内での換気動作を説明するための説明図である。
【図４】本発明にかかる防火服の排気ファンを自動制御できるようにした場合の構成図である。
【符号の説明】
８　　　　作業者
１０　　　防火服
１１　　　上衣
１２　　　ズボン
１３　　　防火帽
１４　　　手袋
１５　　　ブーツ
２０　　　換気手段
２０１　　排気ファン
２０２　　ハウジング
２０２ａ　吸引口
２０２ｂ　吐出口
２０３　　直流モータ
２０４　　排気用のファン
２０５　　空気導入部材
２０６　　排気ホース
２１　　　切替スイッチ
２２　　　電池電源
２２１　　電池ケース
２５　　　切替スイッチ
２６　　　制御回路
２７　　　温度センサー
２８　　　温度設定回路
【図１】
2004027417.tif 000003
【図２】
2004027417.tif 000004
【図３】
2004027417.tif 000005
【図４】
2004027417.tif 000006